(57)【特許請求の範囲】
【請求項１】
被写体からの光を撮像して画像データを生成する撮像素子と、
前記被写体を照明する光を発する発光部と、
前記撮像素子で生成された前記画像データのノイズを第一の処理で除去するノイズ除去処理部と、
前記ノイズ除去処理部でノイズ除去された前記画像データを第二の処理で補正する補正処理部と、
前記被写体の明るさと前記発光部の発光の有無とに基づいて、前記第一の処理と前記第二の処理とを設定する設定部と、
を備え、
前記補正処理部は、前記ノイズ除去処理部でノイズ除去された前記画像データの前記ノイズ除去に基づく画質劣化を補正する電子カメラ。
【請求項２】
前記補正処理部は、コントラスト補正、輪郭補正、彩度補正、階調圧縮補正のうちの少なくとも１つにより前記ノイズ除去処理部でノイズ除去された前記画像データの画質劣化を補正する請求項１に記載の電子カメラ。
【請求項３】
前記被写体の明るさを検出する検出部を備える請求項１又は請求項２に記載の電子カメラ。
【発明の詳細な説明】
【技術分野】
【０００１】
本発明は、電子カメラに関する。
【背景技術】
【０００２】
従来、電子カメラにおいて、被写体の明るさに応じて適正な露出量を決定すると共に、プログラム線図に基づいてシャッタ速度を調整して、撮影を行なう技術が一般的に知られている（例えば、特許文献１参照）。
【先行技術文献】
【特許文献】
【０００３】
【特許文献１】特許第４５８６４６３号
【発明の概要】
【発明が解決しようとする課題】
【０００４】
しかしながら、上記の従来技術では、夜間等の低輝度下の撮影において、露出不足分を撮像素子の感度を示す撮像感度を増加させる露出調整を行なった場合、撮像感度のレベルが上がるに従ってノイズ成分（以下「ノイズ」という。）が増加する問題が生じる。そのため、撮影された画像に対してノイズを除去する画像処理を施す技術が従来から公知である。ただし、上記のノイズを除去する技術では、画面全体の荒れやむら等の画質劣化が生じやすくなるという新たな問題が生じ、鑑賞上好ましい画像が得られなくなるおそれが生じる。また、撮影後の画像に対しては、撮像感度のレベルを変更するような画像処理を行なうことが困難であるため、撮像感度のレベルについては、慎重に選択することが望ましい。
【０００５】
そこで、本発明は、上記事情に鑑み、低輝度下の撮影であっても、鑑賞上好ましい画像を取得する電子カメラを提供することを目的とする。
【課題を解決するための手段】
【０００６】
本発明の一態様では、電子カメラは、被写体からの光を撮像して画像データを生成する撮像素子と、被写体を照明する光を発する発光部と、撮像素子で生成された画像データのノイズを第一の処理で除去するノイズ除去処理部と、ノイズ除去処理部でノイズ除去された画像データを第二の処理で補正する補正処理部と、被写体の明るさと発光部の発光の有無とに基づいて、第一の処理と第二の処理とを設定する設定部とを備え、補正処理部は、ノイズ除去処理部でノイズ除去された画像データのノイズ除去に基づく画質劣化を補正する。
【０００７】
また、本発明の別態様として、以下のものがある。
第１の技術に係る電子カメラは、撮像素子と、被写体輝度検出部と、第１設定部と、第２設定部と、ノイズ除去処理部と、補正処理部とを備える。撮像素子は、被写体の像を撮像して画像を生成する。被写体輝度検出部は、被写体輝度を検出する。第１設定部は、被写体輝度が予め設定した基準値よりも低輝度である場合、その低輝度下での撮影を補う設定モードを設定する。第２設定部は、設定モードの設定値に応じて発生する画像データのノイズを除去するための第１パラメータと、ノイズの除去に起因して発生する画質劣化を補正するための第２パラメータとを設定する。ノイズ除去処理部は、設定モード下で撮像素子が生成した記録用画像の画像データのノイズを第１パラメータに基づいて除去する。補正処理部は、記録用画像の画像データの画質劣化を第２パラメータに基づいて補正する。
第２の技術に係る電子カメラは、撮像素子と、第１設定部と、第２設定部と、ノイズ除去処理部と、補正処理部とを備える。撮像素子は、被写体の像を撮像して画像を生成する。第１設定部は、被写体輝度が予め設定した基準値よりも低輝度下での撮影を補うための設定モードをユーザ入力により設定する。第２設定部は、設定モードの設定値に応じて発生する画像データのノイズを除去するための第１パラメータと、ノイズの除去に起因して発生する画質劣化を補正するための第２パラメータとを設定する。ノイズ除去処理部は、設定モード下で撮像素子が生成した記録用画像の画像データのノイズを第１パラメータに基づいて除去する。補正処理部は、記録用画像の画像データの画質劣化を第２パラメータに基づいて補正する。
【０００８】
第３の技術は、第１又は第２の技術において、設定モードは、撮像素子の感度を示す撮像感度の設定を優先する撮像感度優先モードである。設定値は、撮像感度のレベルを示す値である。
【０００９】
第４の技術は、第１又は第２の技術において、設定モードは、画像データの画素値を階調圧縮してダイナミックレンジを広げる処理を優先する階調圧縮優先モードである。設定値は、階調圧縮のレベルを示す値である。
【００１０】
第５の技術は、第１から第４の何れか１の技術において、第１パラメータは、暗電流補正に関するパラメータである。第２パラメータは、コントラスト補正、輪郭補正、彩度補正、階調圧縮補正のうち、少なくとも１つの補正に関するパラメータを含む。
【００１１】
第６の技術は、第１から第５の何れか１の技術において、閃光発光部をさらに備える。閃光発光部は、被写体に向けて閃光を発光する。第２設定部は、閃光の発光量に応じて、第１パラメータと、第２パラメータとを設定する。
【発明の効果】
【００１２】
本発明の電子カメラは、低輝度下の撮影であっても、鑑賞上好ましい画像を取得できる。
【図面の簡単な説明】
【００１３】
【図１】電子カメラ１の要部の構成例を示す側面図
【図２】図１に示す電子カメラ１及び閃光装置１５０の内部構成例を示す図
【図３】撮像感度優先モードにおいて使用されるテーブルの一例を示す図
【図４】階調圧縮優先モードにおいて使用されるテーブルの一例を示す図
【図５】設定モードの選択処理を説明する図
【図６】電子カメラ１の撮影動作の一例を示すフローチャート
【図７】第２実施形態で使用されるテーブルの一例を示す図
【図８】第２実施形態の電子カメラ１の撮影動作の一例を示すフローチャート
【発明を実施するための形態】
【００１４】
（第１実施形態）
以下、図面に基づいて本発明の実施の形態を詳細に説明する。図１は、電子カメラ１の要部の構成例を示す側面図である。電子カメラ１は、例えば一眼レフレックスタイプの電子カメラであり、カメラ本体１００と撮影レンズユニット５０とを備える。撮影レンズユニット５０は、被写体光をカメラ本体１００に導くために、カメラ本体１００の前面に形成されたレンズマウント１００ａに着脱自在に取り付けられる。なお、カメラ本体１００と撮影レンズユニット５０とは、撮影レンズユニット５０の装着時にレンズマウント１００ａの接点を介して電気的に接続される。
【００１５】
さらに、被写体に照射光を照射するための閃光装置１５０が、カメラ本体１００の上面に形成されたホットシュー（接続用端子）１５０ａに着脱自在に取り付けられる。なお、カメラ本体１００と閃光装置１５０とは、閃光装置１５０の装着時にホットシュー（接続用端子）１５０ａの接点を介して電気的に接続される。
【００１６】
撮影レンズユニット５０は、レンズ系５１及び絞り５２を備える。レンズ系５１は、被写体に焦点を合わせるフォーカスレンズや被写体の像をズームするためのズームレンズを含む複数枚のレンズにより構成される。ここでは、説明の便宜上１枚のレンズで図示する。絞り５２は、入射光量を絞り羽根の開閉で調整する。
【００１７】
カメラ本体１００は、クイックリターンミラー１０１、サブミラー１０１ａ、拡散スクリーン１０２、コンデンサレンズ１０３、ペンタダハプリズム１０４、測光用プリズム１０５、測光用レンズ１０６、測光センサ１０７、接眼レンズ１０８、焦点検出部１１０、機械式シャッタ１１１及び撮像素子１０を備える。
【００１８】
クイックリターンミラー１０１は、図中一点鎖線で示す光軸ＯＡ（Optical Axis）上に回動自在に設けられる。被写体の撮影を行なう場合には、クイックリターンミラー１０１は、回動により図中点線で示す位置に退避する。この際、サブミラー１０１ａは、折り畳まれる。これにより、被写体からカメラ本体１００に入射された被写体光は、撮像素子１０に導かれる。
【００１９】
一方、被写体の撮影を行なわない場合、クイックリターンミラー１０１は、光軸ＯＡに対して斜めの位置に配置される。この場合、クイックリターンミラー１０１は、レンズ系５１を介してカメラ本体１００に入射された被写体光を反射させて拡散スクリーン１０２に導くと共に、サブミラー１０１ａにも導く。
【００２０】
拡散スクリーン１０２は、クイックリターンミラー１０１により導かれた被写体光を拡散し、拡散させた被写体光をコンデンサレンズ１０３を介してペンタダハプリズム１０４に導く。ペンタダハプリズム１０４は、被写体光を反射させて測光用プリズム１０５へ導くと共に接眼レンズ１０８へ導く。また、測光用プリズム１０５は、測光用レンズ１０６を介して被写体光を測光センサ１０７に導く。
【００２１】
接眼レンズ１０８は、ペンタダハプリズム１０４により導かれた被写体光を被写体の像として結像する。撮影者（ユーザ）は、光学式ファインダ（不図示）を介して、接眼レンズ１０８により結像される被写体の像を見ることで、被写体の構図等を判断できる。
【００２２】
測光センサ１０７は、被写体輝度（被写体の明るさ）と被写体の色情報とを検出する。具体的には、測光センサ１０７は、２次元に配列された画素の画像信号（出力信号）を選択的に読み出す撮像領域を有し、被写体光を撮像領域で測光する。
【００２３】
或いは、測光センサ１０７は、閃光（フラッシュ）撮影の予備発光時の被写体からの反射光を撮像領域で測光する。ここで、測光センサ１０７は、例えば、ＸＹアドレス指定により任意のラインを読み出し可能なＣＭＯＳ（Complementary Metal Oxide Semiconductor）型の撮像素子を有する。この撮像素子の撮像領域には、被写体の像をカラー検出するために、赤色（Ｒ）、緑色（Ｇ）、青色（Ｂ）の３種類のカラーフィルタが、一例としてベイヤー配列で配置されている。
【００２４】
なお、本実施形態では、測光センサ１０７の撮像素子の撮像領域のサイズと、撮像素子１０の撮像領域のサイズは同じとする。ただし、撮像素子１０の方が測光センサ１０７の撮像素子よりも高解像度とする。
【００２５】
測光センサ１０７の撮像素子が出力する画像信号は、測光センサ１０７内部でゲイン調整やＡ／Ｄ変換等が施されて、後述するＲＡＭ（Random Access Memory）１３又はＣＰＵ（Central Processing Unit）１８内のメモリ（不図示）に一時的に記録される。
【００２６】
レリーズ釦１０９は、半押し操作（自動露出（ＡＥ）やオートフォーカス（ＡＦ）等の撮影準備の動作開始）と全押し操作（撮影動作開始）との指示入力とを受け付ける。
【００２７】
焦点検出部１１０は、例えば、位相差方式の焦点検出を行ない、レンズ系５１の焦点状態を検出する。なお、電子カメラ１は、撮像素子１０または測光センサ１０７により検出される被写体の輝度と色情報に基づいて、コントラスト方式の焦点検出を行ない、レンズ系５１の焦点状態を検出しても良い。或いは、撮像素子１０に配置されたＡＦ用センサを用いて位相差方式の焦点検出を行っても良い。
【００２８】
機械式シャッタ１１１は、開閉式のシャッタ幕を備え、撮像素子１０への入射光を遮光する遮光状態と、撮像素子１０に入射光を到達させる非遮光状態とをシャッタ幕の開閉により切り替える。
【００２９】
撮像素子１０は、被写体の像を撮像して画像を生成する。撮像素子１０は、例えばＣＭＯＳ型のカラーイメージセンサである。なお、測光センサ１０７の撮像素子や撮像素子１０は、ＣＣＤ（Charge Coupled Device）型のカラーイメージセンサであっても良い。
【００３０】
また、この撮像素子１０の受光面は、画像を撮像する撮像領域と、オプティカルブラック領域（以下、「ＯＢ領域」という。）とで構成される。このＯＢ領域は、受光素子がアルミなどの遮光部材で覆われるとともに暗電流成分の信号（以下「暗黒信号」という）を出力する。
【００３１】
図２は、図１に示す電子カメラ１及び閃光装置１５０の内部構成例を示す図である。電子カメラ１は、上述した通り、カメラ本体１００と撮影レンズユニット５０とを備える。
【００３２】
なお、図２では、説明の便宜上、図１に示した拡散スクリーン１０２、コンデンサレンズ１０３、ペンタダハプリズム１０４、接眼レンズ１０８及び機械式シャッタ１１１の図示を省略する。
【００３３】
カメラ本体１００は、クイックリターンミラー１０１と、サブミラー１０１ａと、測光用プリズム１０５と、測光用レンズ１０６と、測光センサ１０７と、焦点検出部１１０と、撮像素子１０と、信号処理部１１と、画像処理部１２と、ＲＡＭ１３と、フラッシュメモリ１４と、記録インターフェース部（以下、「記録Ｉ／Ｆ部」という。）１５と、表示モニタ１６と、操作部１７と、レリーズ釦１０９と、ＣＰＵ１８と、バス１９と、レンズマウント１００ａと、ホットシュー１５０ａとを備える。
【００３４】
このうち、信号処理部１１、画像処理部１２、ＲＡＭ１３、フラッシュメモリ１４、記録Ｉ／Ｆ部１５、表示モニタ１６及びＣＰＵ１８は、バス１９を介して互いに接続されている。また、撮像素子１０と、測光センサ１０７と、操作部１７と、レリーズ釦１０９、焦点検出部１１０及びホットシュー１５０ａは、ＣＰＵ１８と接続されている。
【００３５】
信号処理部１１は、撮像素子１０が生成する画像信号に対して信号処理を施す回路である。なお、タイミングジェネレータ（不図示）は、ＣＰＵ１８からの指示に従い撮像素子１０及び信号処理部１１の各々へ向けて駆動信号を送出し、両者の駆動タイミングを制御する。
【００３６】
信号処理部１１は、画像信号のゲイン調整やＡ／Ｄ変換などを行なう。信号処理部１１が出力する画像信号は、画像データとしてＲＡＭ１３に一時的に記録される。画像データの種類としては、記録用画像（以下「本画像」という。）、構図確認用のスルー画像、又は後述する暗黒画像等の画像データである。
【００３７】
画像処理部１２は、ＲＡＭ１３に記録されている画像データを読み出し、例えば、本画像の画像データに対して各種の画像処理（例えば、ホワイトバランス処理等）を施す。ＲＡＭ１３は、揮発性のメモリである。フラッシュメモリ１４は、電子カメラ１の制御を行なうプログラム等を予め記憶している不揮発性のメモリである。
【００３８】
記録Ｉ／Ｆ部１５には、着脱自在の記録媒体３０を接続するためのコネクタ（不図示）が形成されている。そして、記録Ｉ／Ｆ部１５は、ＣＰＵ１８からの指示により、そのコネクタに接続された記録媒体３０にアクセスして本画像の記録処理等を行なう。この記録媒体３０は、例えば、不揮発性のメモリカードである。図２では、コネクタに接続された後の記録媒体３０を示している。
【００３９】
表示モニタ１６は、例えば液晶表示媒体により構成される。表示モニタ１６は、ＣＰＵ１８の指示に応じて各種画像や電子カメラ１の操作メニュー等を表示する。
【００４０】
操作部１７は、コマンド選択用のコマンドダイヤル、電源ボタン等（不図示）を有している。また、操作部１７は、電子カメラ１を操作するための指示入力を受け付ける。
【００４１】
ＣＰＵ１８は、電子カメラ１の統括的な制御を行なうプロセッサである。ＣＰＵ１８は、フラッシュメモリ１４に予め格納されたプログラムを実行することにより電子カメラ１の各部を制御する。ＣＰＵ１８は、測光センサ１０７の出力信号に基づいて、撮像範囲の被写体輝度が、例えば、夜間時、薄暗時、夕暮時または室内等の低輝度（低照度）であるか否かを判定する。
【００４２】
なお、ＣＰＵ１８は、被写体輝度が低輝度であるか否かの判定を、測光センサ１０７が出力する画像信号の輝度（又は明度）が基準値を下回るか否かにより行なう。この基準値は、予め実験等に基づく実測値であっても良い。或いは、ＣＰＵ１８は、被写体輝度が低輝度であるか否かの判定を、撮像素子１０が生成するスルー画像の輝度が基準値を下回るか否かにより行なっても良い。
【００４３】
より詳細には、ＣＰＵ１８は、一例として、測光センサ１０７（又は撮像素子１０）の出力する画像信号の輝度が基準値を下回るか否かの判定を、画像の全領域の各画素の輝度の平均値が基準値を下回るか否かにより判定する。或いは、ＣＰＵ１８は、後述する多分割測光により、被写体輝度が低輝度であるか否かの判定を行なっても良い。
【００４４】
また、ＣＰＵ１８は、第１設定部１８ａと、第２設定部１８ｂと、撮影シーン推定部１８ｃと、ノイズ除去処理部１８ｄと、補正処理部１８ｅとしても機能する。
【００４５】
第１設定部１８ａは、被写体輝度が予め設定した基準値よりも低輝度である場合、その低輝度下での撮影を補う設定モードを設定する。或いは、第１設定部１８ａは、操作部１７を介して、低輝度下での撮影を補うための設定モードをユーザ入力により、設定しても良い。本実施形態の電子カメラ１は、低輝度下での撮影を補うための設定モードとして、撮像感度優先モードと、階調圧縮優先モードとの２種類の設定モードを備えている。
【００４６】
撮像感度優先モードは、撮像感度（以下「ＩＳＯ感度」ということがある。）の設定を優先するモードである。この撮像感度優先モードでは、低輝度下での撮影において撮像感度の設定を優先することにより、鑑賞上好ましい画像を取得することができる。
【００４７】
例えば、撮像感度優先モードの適用例としては、夜間における撮影時に、人物や動物、その他の被写体を適正な明るさで再現しようとする場合が挙げられる。この場合、撮像感度優先モードでは、露出の調整だけでは限界があるような時に、撮像素子１０の撮像感度を優先的に決め、適正な画像を得るために第１及び第２パラメータを決定する。
【００４８】
階調圧縮優先モードは、画像データの画素値を階調圧縮してダイナミックレンジを広げる処理を優先するモードである。この階調圧縮優先モードでは、低輝度下での撮影において、階調圧縮してダイナミックレンジを広げる処理を優先することにより、鑑賞上好ましい画像を取得することができる。また、階調圧縮優先モードでは、ＩＳＯ感度を現在の設定値（例えば、ＩＳＯ感度：１６００）で撮影するべきところ、１段下げて（例えば、ＩＳＯ感度：８００）撮影を行ない、後述する補正処理で画質の劣化を抑制しても良い。これにより、階調圧縮優先モードでは、ＩＳＯ感度を下げる分、ノイズの発生を抑制することができる。
【００４９】
例えば、階調圧縮優先モードの適用例としては、逆光の人物がいる場合が挙げられる。この場合、階調圧縮優先モードでは、光源が太陽等であって所定以上の輝度差のある階調を補正するため、優先的に階調補正値を決め、さらに適正な画像を得るために第１及び第２パラメータを決定する。
【００５０】
第２設定部１８ｂは、上記の設定モードの設定値に応じて発生する画像データのノイズを除去するための第１パラメータと、ノイズの除去に起因して発生する画質劣化を補正するための第２パラメータとを設定する。
【００５１】
具体的には、第１パラメータは、暗電流補正に関するパラメータである。また、第２パラメータは、コントラスト補正、輪郭補正、彩度補正、階調圧縮補正のうち、少なくとも１つの補正に関するパラメータを含む。したがって、例えば、階調圧縮優先モードにおいて、第２パラメータは、階調圧縮補正に関するパラメータだけでも良い。
【００５２】
撮影シーン推定部１８ｃは、画像を解析して撮影シーンを推定する。例えば、撮影シーン推定部１８ｃは、被写体の像に含まれる空や海等の輝度分布やＲＧＢ信号の分布や色温度に基づいて撮影シーンを風景と推定する。また、撮影シーン推定部１８ｃは、公知の顔検出処理により画像を解析して人物等の顔を検出し、撮影シーンの種別を人物と推定する。なお、撮影シーン推定部１８ｃは、追加の機能として、ユーザ入力により撮影シーンの種別を受け付けても良い。
【００５３】
ノイズ除去処理部１８ｄは、撮像感度優先モード又は階調圧縮優先モード下で撮像素子１０が生成した本画像の画像データのノイズを第１パラメータに基づいて除去する。第１パラメータは、暗電流補正に関するパラメータであるので、ノイズ除去処理部１８ｄは、暗電流に起因する画像データのノイズを除去することができる。ここで、本実施形態の電子カメラ１は、画像データのノイズを除去するため、上記の設定モードとは別に複数のノイズリダクション（以下「ＮＲ」という。）モードを備えている。
【００５４】
第１のＮＲモードでは、通常、本画像が撮影された直後に、電子カメラ１が撮像素子１０を遮光した状態で本画像の露光時間と同じ露光時間で暗黒画像の撮影を行なう。そして、第１のＮＲモードでは、ノイズ除去処理部１８ｄが本画像の画像データから暗黒画像の画像データを減算する補正処理を行なう。この補正処理により、撮像素子１０において発生する暗電流ノイズや撮像素子固有の画素欠陥による微少な傷（例えば、点傷）等のノイズが除去（抑制）される。
【００５５】
第２のＮＲモードでは、ノイズ除去処理部１８ｄが、ローパスフィルタをかけて入射した光を光学的に分離することにより、センサの画素ピッチよりも細かい空間周波数を持つ成分の像をぼかすようにする。これにより、センサに光を効率よくＲＧＢの各画素に導いて偽色の発生を抑えることができる。また、第２のＮＲモードでは、さらに、ノイズ除去処理部１８ｄが隣接画素間での平均化処理、平滑化処理等の補正処理を行なう設定を追加することができる。この補正処理により、撮像素子１０において発生する暗電流ノイズ等のノイズがさらに抑制される。
【００５６】
補正処理部１８ｅは、本画像の画像データの画質劣化を第２パラメータに基づいて補正する。ここで、第２パラメータは、コントラスト補正、輪郭補正、彩度補正、階調圧縮補正のうち、少なくとも１つの補正に関するパラメータであるので、補正処理部１８ｅは、ノイズの除去で新たに発生する画面全体の荒れやむら等の画質劣化を上記の補正処理により抑制することができる。なお、画像処理部１２が、ノイズ除去処理部１８ｄと補正処理部１８ｅとの機能を有しても良い。
【００５７】
図３は、撮像感度優先モードにおいて使用されるテーブルの一例を示す図である。図４は、階調圧縮優先モードにおいて使用されるテーブルの一例を示す図である。これらのテーブルは、ルックアップテーブル（以下「ＬＵＴ」という。）として予めフラッシュメモリ１４に記録されている。
【００５８】
図３に示すＬＵＴ１は、撮像感度優先モードにおける設定値に対して、第１パラメータ及び第２パラメータがそれぞれ対応付けられている。また、図４に示すＬＵＴ２は、階調圧縮優先モードにおける設定値に対して、第１パラメータ及び第２パラメータがそれぞれ対応付けられている。
【００５９】
図３において、各々のＩＳＯ感度の設定値には、ノイズ除去を示す第１パラメータと、コントラスト補正、輪郭補正、彩度補正等を示す複数の第２パラメータとが対応付けられている。また、同様にして、図４において、各々の階調圧縮の設定値には、ノイズ除去を示す第１パラメータと、コントラスト補正、輪郭補正、彩度補正等を示す複数の第２パラメータとが対応付けられている。
【００６０】
なお、図３及び図４において、強、やや強、中、やや弱、弱の記載は、それぞれの設定値（ＩＳＯ感度又は階調圧縮）に応じて、５段階のレベルの範囲で補正処理やノイズ除去処理を行なうことを表している。なお、本実施形態では、５段階のレベルに分類するのは一例であって、例えば、３段階に分類しても良い。
【００６１】
ここで、図３において、補正処理部１８ｅは、ＩＳＯ感度の設定値が低くなるほど、コントラストを強くする。ここで、コントラストを強くするとは、例えば、画像内において明るい部分と暗い部分の輝度の差を大きくすることをいう。
【００６２】
また、補正処理部１８ｅは、ＩＳＯ感度の設定値が低くなるほど、彩度を強くする処理を行なう。ここで、彩度を強くするとは、例えば、撮影シーンが「夕景」と推定された場合、本画像の橙色の色味が鮮やかになるように画像内の色信号を調整することをいう。つまり、本実施形態では、色信号の調整の度合いを、彩度の強弱で表している。
【００６３】
また、補正処理部１８ｅは、ＩＳＯ感度の設定値が低くなるほど、輪郭を強調する処理を行なう。ここで、輪郭を強調する処理とは、輪郭強調処理の一種であるアンシャープマスク処理を行なう。アンシャープマスク処理では、先ず画像をぼかし、そのぼかした画像と元画像との差分をとる。そして、アンシャープマスク処理では、この差分を調整して元画像に加えることにより、輪郭強調処理を行なう。具体的には、補正処理部１８ｅは、アンシャープマスク処理により、輪郭部分のコントラストを上げて、その輪郭部分を鮮明にする画像処理を行なう。
【００６４】
ここで、従来、ＩＳＯ感度を上げた撮影ではノイズが出やすく、輪郭強調をかけるとさらにノイズが目立ちやすくなる。このため、従来の電子カメラでは、輪郭強調をあまりかけられず、解像度の欠けた画像となってしまうという問題がある。しかしながら、本実施形態では、ＩＳＯ感度に応じて輪郭強調をかけるので、上記の問題を改善することができる。
【００６５】
また、ノイズ除去処理部１８ｄは、ＩＳＯ感度の設定値が低くなるほど、ノイズ除去の程度を弱くする。ここで、ＩＳＯ感度が高感度になるほど暗電流によるレベル上昇分（暗電流オフセット）が高くなる。そのため、本実施形態では、説明の便宜上、各々のＩＳＯ感度毎の暗電流によるレベル上昇分を５段階に分けている。したがって、図３及び図４におけるノイズ除去の項目は、レベル上昇分の除去の程度を強、やや強、中、やや弱、弱の５段階で表している。
【００６６】
より詳細には、第１のＮＲモードにおいて、ノイズ除去処理部１８ｄは、暗電流の平均値と所定の閾値とを比較し、暗電流の平均値が所定の閾値よりも大きければ、本画像の画像データから暗黒画像の画像データを減算する補正処理を行なう。つまり、第１のＮＲモードでは、所定の閾値を、強、やや強、中、やや弱、弱の５段階で対応付けている。したがって、ノイズ除去処理部１８ｄは、ノイズ除去を示す第１パラメータが「強」の場合、ノイズ除去の強度を最も強くするため、上記の５段階の中で最も低い値を閾値に設定して補正処理を行なう。
【００６７】
また、第２のＮＲモードでは、隣接画素間での平均化処理、平滑化処理等の補正処理を５段階（強、やや強、中、やや弱、弱）に分ける。ここで、例えば、「強」選択した場合、ノイズ除去処理部１８ｄは、５段階の中で補正処理の強度を最も強くする。また、「弱」と選択した場合、ノイズ除去処理部１８ｄは、５段階の中で補正処理の強度を最も弱くする。また、本実施形態では、第１のＮＲモードと第２のＮＲモードとの何れか一方を行なっても良いし、或いは、併用しても良い。
【００６８】
また、図４において、補正処理部１８ｅは、階調圧縮の設定値が低くなるほど、コントラストを強くする。また、補正処理部１８ｅは、階調圧縮の設定値が低くなるほど、彩度を強くする処理を行なう。また、補正処理部１８ｅは、階調圧縮の設定値が低くなるほど、輪郭を強調する処理を行なう。また、ノイズ除去処理部１８ｄは、階調圧縮の設定値が低くなるほど、ノイズ除去の程度を弱くする。
【００６９】
ここで、図３及び図４では、ノイズ除去の程度を５段階に分けているが、本実施形態では、例えば、「強」のレベルについて、補正処理をする分、仮に、補正処理を行なわないとした場合と比較して、ノイズ除去の程度をより低く設定できる点に特徴を有している。より低く設定できるということは、その分、ノイズ除去による画質の劣化を抑制できるからである。
【００７０】
図２の説明に再び戻り、閃光装置１５０は、発光部１５０ｂと発光制御回路１５０ｃとを備える。発光部１５０ｂは、コンデンサに充電された電気エネルギーを光エネルギーに変換する回路である。発光部１５０ｂには、例えばキセノン管が備えられており、このキセノン管の放電により発光を行なう。
【００７１】
なお、発光部１５０ｂは、例えばＬＥＤ（発光ダイオード）を光源としても良い。発光制御回路１５０ｃは、発光部１５０ｂの発光量等を示す発光情報をＣＰＵ１８から受信し、受信した発光情報に基づいて発光部１５０ｂに対して予備発光や本発光を行なわせる。
【００７２】
次に、電子カメラ１の撮影動作の一例について説明する。ここで、ユーザは、操作部１７を介して、本実施形態の撮像感度優先モード、階調圧縮優先モード等の設定モードを選択入力することができる。なお、以下のフローチャートの処理（以下「フローの処理」という。）では、夜間時、薄暗時、夕暮時、逆光または室内等で被写体が暗い等といった撮影シーンを前提とする。
【００７３】
図５は、設定モードの選択処理を説明する図である。図５（ａ）は、表示モニタ１６に表示された設定モードの初期画面を表している。図５（ｂ）は、撮像感度優先モードの設定値を選択入力するための画面を表している。図５（ｃ）は、階調圧縮優先モードの設定値を選択入力するための画面を表している。
【００７４】
ここで、図５（ａ）に示す通り、ＣＰＵ１８は、操作部１７を介して、撮像感度優先モードと、階調圧縮優先モードと、ＡＵＴＯモードとの何れかをユーザからの選択入力を受け付ける。なお、ＡＵＴＯモードは、電子カメラ１側の内部処理により、撮像感度優先モードと階調圧縮優先モードとの何れかを選択するモードである。
【００７５】
例えば、撮像感度優先モードが選択入力された場合、ＣＰＵ１８は、表示モニタ１６に撮像感度優先モードの設定値を選択入力するための画面を表示させる（図５（ｂ）参照）。ＣＰＵ１８は、操作部１７を介して、ＩＳＯ感度の設定値を受け付ける。また、階調圧縮優先モードが選択入力された場合、ＣＰＵ１８は、表示モニタ１６に階調圧縮優先モードの設定値を選択入力するための画面を表示させる（図５（ｃ）参照）。ＣＰＵ１８は、操作部１７を介して、階調圧縮処理の設定値を受け付ける。
【００７６】
ここで、輝度差の大きな被写体を撮影することにより、画像データの暗部階調が暗く潰れるという現象が知られている。そこで、階調圧縮処理では、暗部階調のゲインを上げることで階調を圧縮し、暗部階調の黒つぶれを改善する。なお、図５（ｃ）中、階調圧縮処理のレベルが５段階に分けられているのは、暗部階調のゲインのレベルに相当する。このようにして、設定モードの選択処理が終了すると、ＣＰＵ１８は、実際の撮影動作を開始する。
【００７７】
図６は、電子カメラ１の撮影動作の一例を示すフローチャートである。ここで、説明をわかりやすくするため、先ず、ＡＵＴＯモードが選択入力され、閃光撮影を考慮しない場合について例示する。設定モードの選択処理が終了すると、ＣＰＵ１８は、図６に示すフローの処理を開始させる。ここで、ＣＰＵ１８は、表示モニタ１６にスルー画像を表示させる。
【００７８】
ステップＳ１０１：ＣＰＵ１８は、半押し操作の指示入力の有無を判定する。具体的には、レリーズ釦１０９が半押し操作の指示入力を受け付けない場合（ステップＳ１０１：Ｎｏ）、ＣＰＵ１８は、ステップＳ１０１を繰り返す。一方、レリーズ釦１０９が半押し操作の指示入力を受け付けた場合（ステップＳ１０１：Ｙｅｓ）、ＣＰＵ１８は、ステップＳ１０２の処理に移行する。
【００７９】
ステップＳ１０２：ＣＰＵ１８は、測光処理及び測距処理を行なう。具体的には、ＣＰＵ１８は、測光処理として被写体輝度の検出処理を行なう。すなわち、ＣＰＵ１８は、測光センサ１０７に被写体輝度の検出処理の指示を出すことにより、測光センサ１０７の出力信号は、ＲＡＭ１３に一時的に記録される。ここで、画像処理部１２は、撮影画面を複数の領域（ブロック）に分割してその領域毎に測光値を検出する多分割測光を行なう。例えば、画像処理部１２は、分割した領域毎にＲＧＢ信号の画像データを輝度信号（Ｙ信号）と、色差信号（Ｃｒ、Ｃｂ信号）の画像データに変換（ＹＣ変換）することで多分割測光を行なう。または、出力したＲＧＢ信号を用いて最適な露出値を算出するようにしても良い。更には、カメラから被写体までの距離情報をレンズから受信して演算に加味しても良い。
【００８０】
また、ＣＰＵ１８は、測距処理として、焦点検出部１１０に指示を出すことにより、位相差方式の焦点検出を行ない、レンズ系５１の焦点状態を検出する。
【００８１】
ステップＳ１０３：ＣＰＵ１８の撮影シーン推定部１８ｃは、撮影シーンの推定処理を行なう。具体的には、撮影シーン推定部１８ｃは、多分割測光の結果に基づいて、被写体輝度が予め設定した基準値よりも低輝度であるか否かを判定する。撮影シーン推定部１８ｃは、例えば、光源を除く画面内のほぼ全体が、基準値よりも低輝度であれば、撮影シーンを夜景であると推定することができる。
【００８２】
また、撮影シーン推定部１８ｃは、多分割測光の結果に基づいて、複数の領域（ブロック）毎に輝度値（測光値）を積算する。さらに、撮影シーン推定部１８ｃは、ブロック間で輝度差を算出する。また、撮影シーン推定部１８ｃは、画面内の色情報を解析する。撮影シーン推定部１８ｃは、輝度差と色情報とに基づいて、撮影シーンを推定する。例えば、撮影画面内において、階調が滑らかに変化するグラデーションを示し、橙色が支配的である場合、撮影シーン推定部１８ｃは、撮影シーンを夕景であると推定する。
【００８３】
また、撮影シーン推定部１８ｃは、撮影画面全体の被写体輝度だけではなく、顔検出処理により、顔を検出して、撮影画面内の顔の被写体輝度が暗い状態（低輝度）であるか否かを判定しても良い。なお、撮影シーン推定部１８ｃは、スルー画像を解析して撮影シーンを推定しても良い。そして、ＣＰＵ１８は、ステップＳ１０４の処理に移行する。
【００８４】
ステップＳ１０４：ＣＰＵ１８の第１設定部１８ａは、設定モード及び設定値の設定処理を行なう。具体的には、第１設定部１８ａは、例えば、撮影シーンが夜景である場合、撮像感度優先モードを設定する。また、第１設定部１８ａは、図３に示すＬＵＴ１を参照する。そして、現在の被写体輝度に基づいて、例えばＩＳＯ感度を６４００に設定する。さらに、ＣＰＵ１８の第２設定部１８ｂは、ＬＵＴ１を参照して、ＩＳＯ感度に対応するノイズ除去を示す第１パラメータの設定値と、コントラスト補正、輪郭補正、彩度補正を示す第２パラメータの設定値とを設定する。そして、ＣＰＵ１８は、ステップＳ１０５の処理に移行する。
【００８５】
ステップＳ１０５：ＣＰＵ１８は、撮影条件の設定処理を行なう。例えば、撮像感度優先モードの場合、ＩＳＯ感度に基づいて、絞り値、シャッタ速度等の撮影条件を設定する。そして、ＣＰＵ１８は、ステップＳ１０６の処理に移行する。
【００８６】
ステップＳ１０６：ＣＰＵ１８は、全押し操作の指示入力の有無を判定する。具体的には、レリーズ釦１０９が全押し操作の指示入力を所定時間経過しても受け付けない場合（ステップＳ１０６：Ｎｏ）、ＣＰＵ１８は、半押し操作後の処理を一旦解除して、ステップＳ１０１の処理に戻る。これにより、ＣＰＵ１８は、再度、ステップＳ１０１〜ステップＳ１０５の処理を繰り返す。一方、レリーズ釦１０９が全押し操作の指示入力を受け付けた場合（ステップＳ１０６：Ｙｅｓ）、ＣＰＵ１８は、ステップＳ１０７の処理に移行する。
【００８７】
ステップＳ１０７：ＣＰＵ１８は、本画像の撮影処理を行なう。具体的には、ＣＰＵ１８は、クイックリターンミラー１０１を上に跳ね上げさせ、機械式シャッタ１１１のシャッタ幕を開けさせる。続いて、ＣＰＵ１８は、ステップＳ１０５の処理で設定された撮影条件に基づいて、撮像素子１０を駆動する。信号処理部１１は、画像信号のゲイン調整やＡ／Ｄ変換等を行なう。この際、信号処理部１１は、ステップＳ１０４の処理で設定されたＩＳＯ感度に基づいて、画像信号のゲイン調整を行なう。この信号処理部１１が出力する画像信号は、ＲＡＭ１３に画像データとして一旦記録される。
【００８８】
次に、ＣＰＵ１８は、暗黒画像の撮影処理を行なう。具体的には、ＣＰＵ１８は、暗黒画像を取得するため、機械式シャッタ１１１のシャッタ幕を閉じた後、本画像の撮影条件に基づいて、撮像素子１０を駆動する。この信号処理部１１が出力する暗黒信号は、ＲＡＭ１３に暗黒画像の画像データとして一旦記録される。なお、ＣＰＵ１８は、暗黒画像の取得を本画像の撮影処理より先に行なっても良い。ＣＰＵ１８は、本画像と暗黒画像とを取得すると、ステップＳ１０８の処理に移行する。
【００８９】
ステップＳ１０８：ＣＰＵ１８のノイズ除去処理部１８ｄは、ノイズの除去処理を行なう。具体的には、ノイズ除去処理部１８ｄは、第１のＮＲモードにより、ＲＡＭ１３から本画像の画像データと暗黒画像の画像データを読み出して減算処理を行なう。つまり、ノイズ除去処理部１８ｄは、ＬＵＴ１を参照してＩＳＯ感度が６４００の場合、ノイズ除去のパラメータの設定値（強）に相当する補正処理を行なう。
【００９０】
さらに、ノイズ除去処理部１８ｄは、５段階の中で強度を最も強くして、隣接画素間での平均化処理、平滑化処理等の補正処理を行なう。
【００９１】
続いて、ノイズ除去処理部１８ｄは、ノイズ除去後の本画像の画像データをＲＡＭ１３に記録する。そして、ＣＰＵ１８は、ステップＳ１０９の処理に移行する。
【００９２】
ステップＳ１０９：ＣＰＵ１８の補正処理部１８ｅは、本画像の画像データの画質劣化を補正するための補正処理を行なう。具体的には、補正処理部１８ｅは、先ず、ノイズ除去後の本画像の画像データをＲＡＭ１３から読み出す。そして、補正処理部１８ｅは、ステップＳ１０４の処理で設定した第２パラメータの設定値に基づいて、本画像の画像データに対して、コントラスト補正、輪郭補正及び彩度補正を行なう。
【００９３】
続いて、ＣＰＵ１８は、記録処理を行なう。具体的には、ＣＰＵ１８は、補正処理後の画像データを、記録Ｉ／Ｆ部１５を介して記録媒体３０に記録する。そして、ＣＰＵ１８は、図６に示すフローの処理を終了させる。
【００９４】
なお、図６に示すフローの処理において、ユーザ入力により、撮像感度優先モード、又は、階調圧縮優先モードが選択された場合、ＣＰＵ１８は、撮影シーンを推定する必要がないため、ステップＳ１０３の処理をスキップしてステップＳ１０４の処理を行なう。
【００９５】
以上より、第１実施形態の電子カメラ１は、低輝度下の撮影で取得された画像に対して、上記のノイズの除去だけでなく、ノイズの除去で新たに発生する画面全体の荒れやむら等の画質劣化を上記の補正処理で抑制する。例えば、撮像感度優先モードにおいて、ＩＳＯ感度のレベルを鑑賞上好ましい限界まで上げた場合、電子カメラ１は、その分、コントラスト、輪郭、彩度の調整を弱める等の処理を行なうことにより、画質劣化を抑制できる。
【００９６】
或いは、階調圧縮優先モードにおいて、ＩＳＯ感度のレベルを限界値までに上げないようにするには、電子カメラ１は、階調圧縮の処理を強める等の処理を行なう。これにより、暗部階調の黒つぶれが改善し、被写体が適正な明るさになるので、電子カメラ１は、画質劣化を抑制できる。
【００９７】
したがって、本実施形態の電子カメラ１は、低輝度下の撮影であっても、鑑賞上好ましい画像を取得できる。
【００９８】
（第２実施形態）
次に、本発明の第２実施形態について説明する。なお、本発明の第１実施形態と本発明の第２実施形態とでは、同じ要素については同じ符号を付して説明を省略する。
【００９９】
すなわち、第２実施形態の電子カメラ１の構成は、図１及び図２に示す第１実施形態の電子カメラ１と共通であって、閃光撮影を考慮する点が相違する。そのため、第２実施形態では、閃光撮影を考慮したテーブルを新たに追加して説明する。
【０１００】
図７は、第２実施形態で使用されるテーブルの一例を示す図である。第２実施形態では、低輝度下の撮影において、主要被写体が人物の場合と、風景の場合とで、閃光発光を使い分ける点を特徴とする。つまり、風景が主要被写体の場合は、閃光が主要被写体に届かないからである。
【０１０１】
図７に示すテーブルは、ＬＵＴ３、ＬＵＴ４として予めフラッシュメモリ１４に記録されている。実際には、第２実施形態の電子カメラ１は、ＬＵＴ３、ＬＵＴ４に限られず、ＩＳＯ感度毎のＬＵＴを予めフラッシュメモリ１４に記録している。
【０１０２】
ＬＵＴ３、ＬＵＴ４は、撮像感度優先モードにおける設定値に対して、第１パラメータ及び第２パラメータがそれぞれ対応付けられている。さらに、ＬＵＴ３、ＬＵＴ４には、閃光発光の設定値が追加されている。
【０１０３】
一例として、図７（ａ）に示すＬＵＴ３は、撮像感度優先モード（ＩＳＯ感度：６４００）において、主要被写体が風景の場合について例示している。また、図７（ｂ）に示すＬＵＴ４は、撮像感度優先モード（ＩＳＯ感度：６４００）において、主要被写体が人物の場合について例示している。ＬＵＴ３とＬＵＴ４とでは、コントラスト補正、輪郭補正、彩度補正、ノイズ除去の設定値は共通である。また、ＬＵＴ３では、閃光発光がオフの設定であるため、階調圧縮の設定値を「強」にしている。一方、ＬＵＴ４では、閃光発光がオンの設定であるため、階調圧縮の設定値を「弱」にしている。
【０１０４】
つまり、低輝度下での撮影時において、主要被写体が風景の場合、第１設定部１８ａは、撮像素子１０の撮像感度の設定値を好ましい画像が得られる上限に優先して設定する。そして、第２設定部１８ｂは、コントラスト補正、輪郭補正、彩度補正のパラメータを「弱」に設定し、階調圧縮は「強」に設定する。さらに、第２設定部１８ｂは、閃光の発光をオフにする。この設定により、電子カメラ１は、鑑賞上好ましい画像を取得できる。
【０１０５】
また、低輝度下での撮影時において、主要被写体が人物（又は動物）の場合、第１設定部１８ａは、撮像素子１０の撮像感度の設定値を好ましい画像が得られる上限に優先して設定する。そして、第２設定部１８ｂは、コントラスト補正、輪郭補正、彩度補正のパラメータを「弱」に設定し、階調圧縮も「弱」に設定する。さらに、第２設定部１８ｂは、閃光の発光をオンにする。すなわち、第２設定部１８ｂは、閃光発光を併用することで、階調圧縮の程度を風景の場合に比較して弱くして画像への影響を少なくする。これにより、電子カメラ１は、鑑賞上好ましい画像を取得できる。
【０１０６】
次に、第２実施形態における電子カメラ１の撮影動作の一例について説明する。
【０１０７】
図８は、第２実施形態の電子カメラ１の撮影動作の一例を示すフローチャートである。なお、第２実施形態の電子カメラ１の動作は、ステップＳ２０３、Ｓ２０４、Ｓ２０９及びＳ２１０に対応する動作がない点を除いて、第１実施形態の電子カメラ１の動作と共通する。そのため、第１実施形態の電子カメラ１の動作と共通する内容は、簡略化して説明する。
【０１０８】
ステップＳ２０１：ＣＰＵ１８は、半押し操作の指示入力の有無を判定する。レリーズ釦１０９が半押し操作の指示入力を受け付けない場合（ステップＳ２０１：Ｎｏ）、ＣＰＵ１８は、ステップＳ２０１を繰り返す。一方、レリーズ釦１０９が半押し操作の指示入力を受け付けた場合（ステップＳ２０１：Ｙｅｓ）、ＣＰＵ１８は、ステップＳ２０２の処理に移行する。
【０１０９】
ステップＳ２０２：ＣＰＵ１８は、測光処理及び測距処理を行なう。
【０１１０】
ステップＳ２０３：ＣＰＵ１８は、被写体輝度に基づいて、閃光発光の有無を判定する。閃光発光を必要とする場合（ステップＳ２０３：Ｙｅｓ）、ＣＰＵ１８は、ステップＳ２０４の処理に移行する。一方、閃光発光を必要としない場合（ステップＳ２０３：Ｎｏ）、ＣＰＵ１８は、ステップＳ２０５の処理に移行する。なお、ユーザ入力により閃光発光の指示入力がなされている場合、ＣＰＵ１８は、ステップＳ２０３の処理をスキップして、ステップＳ２０４の処理に移行する。
【０１１１】
ステップＳ２０４：ＣＰＵ１８は、予備発光により発光量の算出処理を行なう。具体的には、ＣＰＵ１８は、閃光装置１５０の発光制御回路１５０ｃに対して予備発光の発光情報を送信する。発光制御回路１５０ｃは、発光情報に基づいて発光部１５０ｂに対して予備発光を行なわせる。ここで、発光部１５０ｂから照射された予備発光の閃光は、被写体を照明する。そして、被写体からの反射光は測光センサ１０７で画像信号として出力される。ＣＰＵ１８は、その画像信号に基づいて、本発光量の算出を行なう。そして、ＣＰＵ１８は、ステップＳ２０５の処理に移行する。
【０１１２】
ステップＳ２０５：撮影シーン推定部１８ｃは、撮影シーンの推定処理を行なう。例えば、撮影シーン推定部１８ｃは、一例として、夜間における人物撮影の撮影シーンを推定したとする。
【０１１３】
ステップＳ２０６：第１設定部１８ａは、設定モード及び設定値の設定処理を行なう。具体的には、第１設定部１８ａは、例えば、撮影シーンが夜間における人物撮影である場合、撮像感度優先モードを設定する。そして、第１設定部１８ａは、図７（ｂ）に示すＬＵＴ４を参照する。そして、第１設定部１８ａは、現在の被写体輝度に基づいて、例えばＩＳＯ感度を６４００に設定する。
【０１１４】
また、第２設定部１８ｂは、ＬＵＴ４を参照して、ＩＳＯ感度に対応するノイズ除去を示す第１パラメータの設定値と、コントラスト補正、輪郭補正、彩度補正、階調圧縮補正を示す第２パラメータの設定値とを設定する。
【０１１５】
さらに、第２設定部１８ｂは、閃光発光をオンに設定する。この場合、閃光の発光量に応じて、第１設定部１８ａは、第１パラメータを設定すると共に、第２設定部１８ｂは、第２パラメータとを設定することになる。これにより、第２実施形態の電子カメラ１は、閃光を発光する撮影にもノイズ除去や上記の補正処理を適用することができる。
【０１１６】
ステップＳ２０７：ＣＰＵ１８は、撮影条件の設定処理を行なう。例えば、撮像感度優先モードの場合、ＩＳＯ感度に基づいて、絞り値、シャッタ速度等の撮影条件を設定する。
【０１１７】
ステップＳ２０８：全押し操作の指示入力の有無を判定する。具体的には、レリーズ釦１０９が全押し操作の指示入力を所定時間経過しても受け付けない場合（ステップＳ２０８：Ｎｏ）、ＣＰＵ１８は、半押し操作後の処理を一旦解除して、ステップＳ２０１の処理に戻る。一方、レリーズ釦１０９が全押し操作の指示入力を受け付けた場合（ステップＳ２０８：Ｙｅｓ）、ＣＰＵ１８は、ステップＳ２０９の処理に移行する。
【０１１８】
ステップＳ２０９：ＣＰＵ１８は、閃光発光の指示の有無を判定する。閃光発光の指示が有りの場合（ステップＳ２０９：Ｙｅｓ）、ＣＰＵ１８は、ステップＳ２１０の処理に移行する。一方、閃光発光の指示が無しの場合（ステップＳ２０９：Ｎｏ）、ＣＰＵ１８は、ステップＳ２１１の処理に移行する。
【０１１９】
ステップＳ２１０：ＣＰＵ１８は、閃光発光の処理を行なう。具体的には、ＣＰＵ１８は、閃光装置１５０の発光制御回路１５０ｃに対して本発光の発光情報を送信する。発光制御回路１５０ｃは、発光情報に基づいて発光部１５０ｂに対して本発光を行なわせる。ここで、発光部１５０ｂから照射された本発光の閃光は、被写体を照明する。
【０１２０】
ステップＳ２１１：ＣＰＵ１８は、本発光に同期して本画像及び暗黒画像の撮影処理を行なう。
【０１２１】
ステップＳ２１２：ノイズ除去処理部１８ｄは、ノイズの除去処理を行なう。
【０１２２】
ステップＳ２１３：補正処理部１８ｅは、本画像の画像データの画質劣化を補正するための補正処理を行なう。続いて、ＣＰＵ１８は、記録処理を行なう。そして、ＣＰＵ１８は、図８に示すフローの処理を終了させる。
【０１２３】
以上より、第２実施形態の電子カメラ１は、必要に応じて閃光を発光して低輝度下の撮影を行なう。そして、第２実施形態の電子カメラ１は、取得された画像に対して、上記のノイズの除去だけでなく、ノイズの除去で新たに発生する画面全体の荒れやむら等の画質劣化を上記の補正処理で抑制する。ここで、電子カメラ１では、ＩＳＯ感度の上限値（例えば、ＩＳＯ感度：６４００）に対して、１段下げ（例えば、ＩＳＯ感度：３２００）、閃光撮影でＩＳＯ感度の差分を補っても良い。或いは、電子カメラ１では、ＩＳＯ感度の上限値（例えば、６４００）に対して、１段上の設定値（例えば、ＩＳＯ感度：１２８００）で撮影できない場合、閃光撮影でＩＳＯ感度の差分を補っても良い。何れの場合も、電子カメラ１では、上記のノイズの除去及び補正処理を適用することにより、画質劣化を抑制できる。
【０１２４】
したがって、第２実施形態の電子カメラ１は、低輝度下の撮影であっても、鑑賞上好ましい画像を取得できる。
【０１２５】
（補足事項）
（１）上記の実施形態では、一眼レフレックスタイプの電子カメラを例に挙げたが、レンズ交換を必要としないコンパクトタイプの電子カメラであっても良い。この場合、コンパクトタイプの電子カメラに用いられる撮像素子を上記の測光センサ１０７として兼用する構成にしても良い。
【０１２６】
（２）上記の実施形態では、第２パラメータとして、コントラスト補正、輪郭補正、彩度補正、階調圧縮補正のパラメータを用いたが、これらのパラメータに限定されない。例えば、第２パラメータは、明度補正、色相補正、露出補正等のパラメータであっても良い。なお、全てのパラメータを用いる必要はなく、状況に応じて選択的に用いても良い。また、階調圧縮補正を行う際には、露出補正と連動させて行っても良い。
【０１２７】
（３）上記の実施形態では、画像処理部１２において多分割測光を行うことを例に挙げたが、別に露出制御部を設けて行うようにしても良い。
【０１２８】
なお、被写体からの反射光を測光して出力するのは、測光センサ１０７ではなく撮像素子１０であっても良い。
【符号の説明】
【０１２９】
１・・・電子カメラ、１０７・・・測光センサ、１８ａ・・・第１設定部、１８ｂ・・・第２設定部、１８ｄ・・・ノイズ除去処理部、１８ｅ・・・補正処理部
【図１】
0005970871.tif 000002
【図２】
0005970871.tif 000003
【図３】
0005970871.tif 000004
【図４】
0005970871.tif 000005
【図５】
0005970871.tif 000006
【図６】
0005970871.tif 000007
【図７】
0005970871.tif 000008
【図８】
0005970871.tif 000009